(57)【特許請求の範囲】
【請求項１】
放射線を放射線画像に変換可能な複数の放射線検出装置のうち、１つの放射線検出装置が選択されている場合に、
前記複数の放射線検出装置が起動することにより前記放射線を前記放射線画像に変換可能となった状態で、被写体に対する前記放射線の照射が行われたときに、前記１つの放射線検出装置の放射線画像を含む、前記複数の放射線検出装置の放射線画像を全て取得する取得部と、
前記取得部が取得した前記各放射線画像のうち、１つの放射線画像を、前記被写体の写り込んだ有意な放射線画像と判定する判定部と、
を有することを特徴とする放射線画像取得装置。
【請求項２】
請求項１記載の装置において、
前記有意な放射線画像がないと前記判定部が判定した場合に、前記各放射線画像のうち、いずれか１つの放射線画像を前記有意な放射線画像とみなして選定する画像選定部をさらに有することを特徴とする放射線画像取得装置。
【請求項３】
請求項１記載の装置において、
前記取得部が取得した前記各放射線画像のうち、いずれか１つの放射線画像を、前記被写体の写り込んだ有意な放射線画像とみなして選定する画像選定部をさらに有することを特徴とする放射線画像取得装置。
【請求項４】
請求項１〜３のいずれか１項に記載の装置において、
前記有意な放射線画像を外部に出力する出力部をさらに有することを特徴とする放射線画像取得装置。
【請求項５】
請求項１〜４のいずれか１項に記載の装置において、
撮影室内で前記被写体に対する前記放射線の照射が行われる場合に、前記撮影室内に存在する前記複数の放射線検出装置の識別情報を記憶する識別情報記憶部をさらに有し、
前記取得部は、前記識別情報記憶部に記憶された前記各識別情報に基づいて、前記撮影室内に存在する前記複数の放射線検出装置の放射線画像を全て取得することを特徴とする放射線画像取得装置。
【請求項６】
請求項１〜５のいずれか１項に記載の装置において、
前記複数の放射線検出装置は、放射線を電荷に変換して蓄積し、蓄積した前記電荷を電気信号として外部に出力する放射線変換パネルをそれぞれ有し、
前記各放射線変換パネルは、前記被写体に対して前記放射線が照射される前に前記電荷を蓄積することが可能な状態に至ることを特徴とする放射線画像取得装置。
【請求項７】
放射線を出力する放射線源、及び、該放射線を放射線画像に変換する放射線検出装置を有する複数の放射線画像撮影装置と、
前記複数の放射線画像撮影装置のうち、１つの放射線画像撮影装置の放射線検出装置が選択されている場合に、前記複数の放射線検出装置が起動することにより前記放射線を前記放射線画像に変換可能となった状態で、被写体に対する前記放射線の照射が行われたときに、前記１つの放射線検出装置の放射線画像を含む、前記複数の放射線検出装置の放射線画像を全て取得する取得部、及び、前記取得部が取得した前記各放射線画像のうち、１つの放射線画像を、前記被写体の写り込んだ有意な放射線画像と判定する判定部を有する放射線画像取得装置と、
を備えることを特徴とする放射線画像撮影システム。
【請求項８】
放射線を放射線画像に変換可能な複数の放射線検出装置のうち、１つの放射線検出装置が選択されている場合に、前記複数の放射線検出装置が起動することにより前記放射線を前記放射線画像に変換可能となった状態で、被写体に対する前記放射線の照射を行うステップと、
前記１つの放射線検出装置の放射線画像を含む、前記複数の放射線検出装置の放射線画像を取得部により全て取得するステップと、
前記取得部が取得した前記各放射線画像のうち、１つの放射線画像を、前記被写体の写り込んだ有意な放射線画像と判定部により判定するステップと、
を有することを特徴とする放射線画像撮影方法。
【発明の詳細な説明】
【技術分野】
【０００１】
本発明は、被写体に放射線を照射し、該被写体を透過した前記放射線を放射線検出装置により放射線画像に変換する放射線画像撮影システム及び放射線画像撮影方法と、前記放射線検出装置から前記放射線画像を取得する放射線画像取得装置とに関する。
【背景技術】
【０００２】
医療分野において、被写体に放射線を照射し、該被写体を透過した前記放射線を放射線変換パネルにより放射線画像に変換し、前記放射線変換パネルから前記放射線画像を取得することが広く行われている。このような放射線変換パネルとして、蛍光体に放射線画像としての放射線エネルギを蓄積し、励起光を照射することで前記放射線画像を輝尽発光光として取り出すことのできる蓄積性蛍光体パネルが知られている。この場合、前記蓄積性蛍光体パネルを放射線画像取得装置に供給して前記放射線画像の取得処理を行わせることで、可視画像としての放射線画像を得ることができる。
【０００３】
また、近年、手術室等の医療現場においては、被写体（患者）に対して迅速且つ的確な処置を施すため、撮影後の放射線変換パネルから直ちに放射線画像を取得して表示できることが必要とされている。このような要求に対応可能な放射線変換パネルとして、放射線を電気信号に直接変換する固体検出素子を用いた直接変換型の放射線検出器、あるいは、放射線を可視光に一旦変換するシンチレータと、前記可視光を電気信号に変換する固体検出素子とを用いた間接変換型の放射線検出器が開発されている。
【０００４】
ところで、医療機関においては、上述した放射線変換パネルを備えた複数の放射線検出装置を有する放射線画像撮影システムが構築されている（特許文献１及び２参照）。
【０００５】
ここで、前記放射線画像撮影システム内の全ての放射線検出装置が直接変換型又は間接変換型の放射線変換パネル（以下、ＦＰＤ（Ｆｌａｔ  Ｐａｎｅｌ  Ｄｅｔｅｃｔｏｒ）ともいう。）を備える放射線検出装置である場合での被写体への放射線の照射（撮影）と放射線画像の取得処理とについて説明する。
【０００６】
先ず、複数の放射線検出装置のうち、１つの放射線検出装置を選択し、選択した前記１つの放射線検出装置のＦＰＤについて、放射線から変換される電気信号（電荷）を蓄積可能な状態にしておく。
【０００７】
次に、医師又は技師は、放射線源と前記１つの放射線検出装置との間に被写体（患者）を配置する。この状態で、前記放射線源から前記被写体を介して前記１つの放射線検出装置に放射線を照射すると、前記ＦＰＤは、前記被写体を透過した前記放射線を電荷に変換して蓄積する。前記放射線の照射後、放射線画像取得装置は、前記ＦＰＤに蓄積された電荷を前記被写体に対応する放射線画像として取得する。
【先行技術文献】
【特許文献】
【０００８】
【特許文献１】特開２００４−７３４６２号公報
【特許文献２】特開２００９−２１９５８６号公報
【発明の概要】
【発明が解決しようとする課題】
【０００９】
このように、従来の放射線画像撮影システムでは、１つの放射線検出装置を選択し、放射線源から被写体を介して前記１つの放射線検出装置に放射線を照射し、放射線画像取得装置が前記１つの放射線検出装置から放射線画像を取得することにより、前記被写体と前記放射線画像との対応付けを行っている。
【００１０】
ところで、１つの放射線検出装置の状態（例えば、当該放射線検出装置が故障、あるいは、バッテリの充電量が撮影に必要な充電量に到達していない状態）に応じて、他の放射線検出装置に代用して撮影を行う場合もあり得る。この場合、放射線源から被写体を介して前記他の放射線検出装置に放射線を照射すると、前記他の放射線検出装置の放射線画像に前記被写体が写り込むことになる。
【００１１】
しかしながら、放射線検出装置を変更して撮影が行われることを放射線画像取得装置に通知し忘れた場合、前記放射線画像取得装置は、選択された１つの放射線検出装置の放射線画像を取得して、被写体と当該放射線画像との対応付けを行うおそれがある。この結果、前記放射線画像取得装置は、前記１つの放射線検出装置から放射線画像を取得したときに、当該放射線画像に前記被写体が写り込んでいないので、撮影が失敗したと判定し、前記被写体に対する再撮影を要求する。
【００１２】
つまり、従来の放射線画像撮影システムでは、放射線が実際に照射されたＦＰＤを備える放射線検出装置（他の放射線検出装置）と、放射線画像が取得されるＦＰＤを備える放射線検出装置（１つの放射線検出装置）とが一致しない場合には、前記他の放射線検出装置が有する、被写体の写り込んだ放射線画像を取得することなく再撮影を実行し、前記被写体を無駄に被曝させるおそれがあった。
【００１３】
本発明は、前記の不具合を解消するためになされたものであり、被写体が写り込んだ放射線画像を確実に取得することにより、該被写体に対する無駄な被曝を防止することが可能となる放射線画像取得装置、放射線画像撮影システム及び放射線画像撮影方法を提供することを目的とする。
【課題を解決するための手段】
【００１４】
本発明に係る放射線画像取得装置は、
放射線を放射線画像に変換可能な複数の放射線検出装置のうち、１つの放射線検出装置が選択されている場合に、被写体に対する前記放射線の照射が行われたときに、前記１つの放射線検出装置の放射線画像を含む、前記複数の放射線検出装置の放射線画像を全て取得する取得部を有することを特徴としている。
【００１５】
また、本発明に係る放射線画像撮影システムは、
放射線を出力する放射線源、及び、該放射線を放射線画像に変換する放射線検出装置を有する複数の放射線画像撮影装置と、
前記複数の放射線画像撮影装置のうち、１つの放射線画像撮影装置の放射線検出装置が選択されている場合に、被写体に対する前記放射線の照射が行われたときに、前記１つの放射線検出装置の放射線画像を含む、前記複数の放射線検出装置の放射線画像を全て取得する取得部を有する放射線画像取得装置と、
を備えることを特徴としている。
【００１６】
さらに、本発明に係る放射線画像撮影方法は、
放射線を放射線画像に変換可能な複数の放射線検出装置のうち、１つの放射線検出装置が選択されている場合に、被写体に対する前記放射線の照射を行うステップと、
前記１つの放射線検出装置の放射線画像を含む、前記複数の放射線検出装置の放射線画像を取得部により全て取得するステップと、
を有することを特徴としている。
【００１７】
これらの発明によれば、取得部は、１つの放射線検出装置の放射線画像を含む、複数の放射線検出装置の放射線画像を全て取得する。
【００１８】
これにより、被写体を介して前記１つの放射線検出装置に放射線が照射された場合であっても、あるいは、他の放射線検出装置を用い、前記被写体を介して前記他の放射線検出装置に前記放射線が照射された場合であっても、前記取得部は、全ての放射線検出装置の放射線画像を取得するので、取得した全ての放射線画像のうち、いずれか１つの放射線画像には前記被写体が必ず写り込んでいる。
【００１９】
従って、本発明によれば、前記被写体が写り込んだ放射線画像を確実に取得することができるので、前記被写体に対する無駄な被曝を防止することが可能となる。
【００２０】
ここで、前記放射線画像取得装置は、前記取得部が取得した前記各放射線画像のうち、１つの放射線画像を、前記被写体の写り込んだ有意な放射線画像として判定する判定部をさらに有する。
【００２１】
これにより、前記取得部が取得した全ての放射線画像のうち、どの放射線画像が前記被写体の写り込んだ有意な放射線画像であるかを特定することが可能となる。なお、前記被写体の写り込んだ有意な放射線画像とは、例えば、放射線画像がデジタルデータとしての画像データである場合に、前記画像データの輝度の平均値又は分散の値が、所定の閾値以上となるような放射線画像をいう。
【００２２】
また、前記放射線画像取得装置は、前記有意な放射線画像がないと前記判定部が判定した場合に、前記各放射線画像のうち、いずれか１つの放射線画像を前記有意な放射線画像とみなして選定する画像選定部をさらに有する。
【００２３】
これにより、前記有意な放射線画像が得られなくても、例えば、画像データの輝度平均値又は輝度分散値が前記閾値よりも僅かに低い読影診断の可能な放射線画像を前記有意な放射線画像とみなすことにより、前記被写体が再撮影に至る事態を回避することが可能となる。
【００２４】
また、前記画像選定部は、上述した構成に代えて、前記取得部が取得した前記各放射線画像のうち、いずれか１つの放射線画像を、前記被写体の写り込んだ有意な放射線画像とみなして選定してもよい。
【００２５】
この場合、前記判定部による前記有意な放射線画像の自動判定が行われないことになるが、有意な放射線画像を医師又は技師に選択させることや、有意な放射線画像でなくても、読影診断が可能な放射線画像を医師又は技師に選択させることができる。
【００２６】
また、前記放射線画像取得装置は、前記有意な放射線画像を外部に出力する出力部をさらに有することを特徴とすることが好ましい。
【００２７】
これにより、医師は、前記有意な放射線画像を用いて読影診断を行うことが可能となる。
【００２８】
また、撮影室内で前記被写体に対する前記放射線の照射が行われる場合に、前記放射線画像取得装置は、前記撮影室内に存在する前記複数の放射線検出装置の識別情報を記憶する識別情報記憶部をさらに有し、前記取得部は、前記識別情報記憶部に記憶された前記各識別情報に基づいて、前記撮影室内に存在する前記複数の放射線検出装置の放射線画像を全て取得する。
【００２９】
これにより、前記撮影室内に存在する前記各放射線検出装置に対してのみ放射線画像の取得処理が行われるので、誤って、前記撮影室の外にある放射線検出装置に対して取得処理が行われることを確実に防止することができると共に、放射線画像の取得処理を効率よく行うことが可能となる。
【００３０】
さらに、前記複数の放射線検出装置は、放射線を電荷に変換して蓄積し、蓄積した前記電荷を電気信号として外部に出力する放射線変換パネルをそれぞれ有し、前記各放射線変換パネルは、前記被写体に対して前記放射線が照射される前に前記電荷を蓄積することが可能な状態に至ることが望ましい。
【００３１】
これにより、前記電荷の蓄積を前記各放射線変換パネルに指示するトリガ用の放射線を本撮影前に前記各放射線検出装置に照射することが不要となるので、前記電荷の蓄積を指示するための構成が簡素化されると共に、前記被写体の被曝量も低減することができる。
【発明の効果】
【００３２】
本発明によれば、取得部は、１つの放射線検出装置の放射線画像を含む、複数の放射線検出装置の放射線画像を全て取得するので、被写体が写り込んだ放射線画像を確実に取得することができ、前記被写体に対する無駄な被曝を防止することが可能となる。
【図面の簡単な説明】
【００３３】
【図１】本実施形態に係る放射線画像撮影システムのブロック図である。
【図２】放射線検出装置の概略構成図である。
【図３】図２の放射線検出装置の回路図である。
【図４】図１の放射線画像撮影システムをより詳細に説明するためのブロック図である。
【図５】本実施形態に係る放射線画像撮影システムのフローチャートである。
【図６】曝射スイッチの投入から放射線画像の取得完了までの時間経過を示すタイムチャートである。
【発明を実施するための形態】
【００３４】
本実施形態に係る放射線画像取得装置を備えた放射線画像撮影システムについて、放射線画像撮影方法との関連で、図１〜図６を参照しながら説明する。
【００３５】
本実施形態に係る放射線画像撮影システム１０は、図１に示すように、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ）と、医師による読影診断を行うためのビューア１６と、放射線科の複数の撮影室１８、２０、２２に隣接する各処理室に設置され、仕様形態の異なる各撮影装置４４、４６、４８を管理制御するコンソール２４、２６、２８とを備え、これらが院内ネットワーク３０によって相互に接続されている。また、前記各処置室には、放射線検出装置５２、６２、７２を充電するためのクレードル３２、３４、３６がコンソール２４、２６、２８にそれぞれ接続されている。
【００３６】
撮影室１８には、臥位状態の被写体４２に対して撮影（臥位撮影）を行う撮影装置４４、４６と、立位状態の被写体４２に対して撮影（立位撮影）を行う撮影装置４８と、コンソール２４と各撮影装置４４、４６、４８との間を接続する制御装置（取得部）４０とが設置されている。なお、他の撮影室２０、２２にも、同様にして、制御装置４０及び撮影装置４４、４６、４８が設置されているが、図１では、それらの装置の図示は省略する。また、コンソール２４、２６、２８と制御装置４０とによって本実施形態に係る放射線画像取得装置が構成される。
【００３７】
撮影装置４４は、撮影台５０と、撮影台５０に載置される放射線検出装置５２とを有する。撮影装置４６は、撮影台６０と、撮影台６０内部に装填された放射線検出装置６２とを有する。撮影装置４８は、立設状態の撮影台７０と、撮影台７０内部に装填された放射線検出装置７２とを有する。また、本実施形態では、各撮影装置４４、４６、４８は、１つの放射線源５４を共用している。そのため、放射線源５４から被写体４２に対して放射線５６が照射されたときに、いずれか１つの放射線検出装置において、被写体４２を透過した放射線５６が放射線画像に変換され、他の２つの放射線検出装置においては、被写体４２が写り込んでいない放射線画像が得られる。
【００３８】
なお、撮影装置４４は、他の撮影装置４６、４８とは異なり、撮影台５０内に放射線検出装置５２を装填しない。そのため、撮影装置４４では、図１に例示した臥位撮影に限定されることはなく、例えば、撮影台５０に被写体４２が腰掛けた状態で該被写体４２の所定部位に対して撮影（膝部に対する撮影等）を行うことが可能である。また、図１では、制御装置４０と各撮影装置４４、４６、４８との間が有線により接続されているが、無線により接続されていてもよい。さらに、図１では、各撮影装置４４、４６、４８に放射線検出装置５２、６２、７２がそれぞれ配置されているが、本実施形態では、撮影室１８、２０、２２には、少なくとも２つの放射線検出装置が配置されていればよい。従って、３つの撮影装置４４、４６、４８のうち、放射線検出装置が配置されていない撮影装置については、他の撮影装置の放射線検出装置を代用してもよい。
【００３９】
各撮影装置４４、４６、４８に用いられる放射線検出装置５２、６２、７２は、図２に示すように、放射線５６を透過させる材料からなるケーシング８０をそれぞれ有し、ケーシング８０の内部には、放射線５６が照射されるケーシング８０の照射面側から底面側に向かって、被写体４２（図１参照）による放射線５６の散乱線を除去するグリッド８２、被写体４２を透過した放射線５６を電荷情報に変換する放射線変換パネル８４、及び、放射線５６のバック散乱線を吸収する鉛板８６が順に配設される。なお、ケーシング８０の照射面をグリッド８２としてもよい。
【００４０】
平面型の放射線検出器（ＦＰＤ：Ｆｌａｔ  Ｐａｎｅｌ  Ｄｅｔｅｃｔｏｒ）としての放射線変換パネル８４は、放射線５６を感知して電荷に直接変換し、変換した電荷を蓄積する直接変換型の放射線検出器、あるいは、放射線５６を可視光に一旦変換し、変換した前記可視光を電荷に変換して蓄積する間接変換型の放射線検出器である。なお、以下の説明では、放射線変換パネル８４が間接変換型の放射線検出器である場合について説明する。
【００４１】
ケーシング８０の内部には、放射線変換パネル８４の電源であるバッテリ８８と、バッテリ８８から供給される電力により放射線変換パネル８４を駆動制御する制御部９０と、放射線変換パネル８４に蓄積された電荷を被写体４２の放射線画像として制御装置４０（図１参照）を介しコンソール２４、２６、２８に送信する送受信部９２とがさらに収容されている。また、ケーシング８０の側部には、放射線検出装置５２、６２、７２を起動するための電源スイッチ９４が設けられている。
【００４２】
次に、放射線検出装置５２、６２、７２内部の回路構成について、図３を参照しながら説明する。
【００４３】
放射線変換パネル８４は、アモルファスシリコン（ａ−Ｓｉ）等の物質からなり且つ可視光を電気信号に変換する固体検出素子（以下、画素ともいう。）１００が形成された光電変換層１０１を、行列状のＴＦＴ１０６のアレイの上に配置した構造を有する。この場合、バッテリ８８からバイアス電圧Ｖｂが供給される各画素１００では、可視光を電気信号（アナログ信号）に変換することにより発生した電荷が蓄積され、各行毎にＴＦＴ１０６を順次オンにすることにより前記電荷を画像信号として読み出すことができる。
【００４４】
各画素１００に接続されるＴＦＴ１０６には、行方向と平行に延びるゲート線１０２と、列方向と平行に延びる信号線１０４とが接続される。各ゲート線１０２は、ライン走査駆動部１０８に接続され、各信号線１０４は、マルチプレクサ１１０に接続される。ゲート線１０２には、行方向に配列されたＴＦＴ１０６をオンオフ制御する制御信号Ｖｏｎ、Ｖｏｆｆがライン走査駆動部１０８から供給される。この場合、ライン走査駆動部１０８は、ゲート線１０２を切り替える複数のスイッチＳＷ１と、スイッチＳＷ１の１つを選択する選択信号を出力するアドレスデコーダ１１２とを備える。アドレスデコーダ１１２には、制御部９０からアドレス信号が供給される。
【００４５】
また、信号線１０４には、列方向に配列されたＴＦＴ１０６を介して各画素１００に保持されている電荷が流出する。この電荷は、増幅器１１４によって増幅される。増幅器１１４には、サンプルホールド回路１１６を介してマルチプレクサ１１０が接続される。マルチプレクサ１１０は、信号線１０４を切り替える複数のスイッチＳＷ２と、スイッチＳＷ２の１つを選択する選択信号を出力するアドレスデコーダ１１８とを備える。アドレスデコーダ１１８には、制御部９０からアドレス信号が供給される。マルチプレクサ１１０には、Ａ／Ｄ変換器１２０が接続され、Ａ／Ｄ変換器１２０によってデジタル信号に変換された放射線画像が制御部９０に供給される。制御部９０は、デジタル信号の放射線画像を画像メモリ１３０に記憶し、あるいは、画像メモリ１３０に記憶された放射線画像を送受信部９２を介して制御装置４０に送信する。
【００４６】
なお、スイッチング素子として機能するＴＦＴ１０６は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００４７】
図４は、放射線画像撮影システム１０をより詳細に図示したブロック図である。ここでは、主として、図１〜図３において説明しなかった構成要素について説明する。
【００４８】
放射線検出装置５２、６２、７２は、自己を特定するためのＩＤ情報が記憶されたＩＤメモリ１３２をさらに有する。また、制御部９０は、放射線検出装置５２、６２、７２の起動時、あるいは、定期的に、放射線変換パネル８４のキャリブレーション処理（放射線画像に対する明補正、暗補正及び欠陥補正）を行い、該キャリブレーション処理により作成した明補正、暗補正及び欠陥補正の各種テーブルを画像メモリ１３０に記憶する。なお、キャリブレーション処理は、公知の処理方法（例えば、特開２００９−２８３７３号公報参照）により行われる。
【００４９】
放射線源５４は、該放射線源５４を全体的に制御して放射線５６を出力させる制御部１３４、及び、制御装置４０との間で信号の送受信を行うための送受信部１３６を有する。
【００５０】
制御装置４０は、前記各種テーブルを記憶するメモリ１３８、及び、放射線検出装置５２、６２、７２の送受信部９２と、放射線源５４の送受信部１３６と、コンソール２４、２６、２８との間で信号の送受信を行うための送受信部１４０を備えている。この場合、送受信部１４０は、各放射線検出装置５２、６２、７２の画像メモリ１３０から制御部９０及び送受信部９２を介して取得した各放射線画像をコンソール２４、２６、２８に送信する。
【００５１】
コンソール２４、２６、２８は、制御部１４２、送受信部１４４、ＩＤメモリ（識別情報記憶部）１４６、オーダ情報記憶部１４８、撮影条件設定部１５０、画像処理部１５２、画像メモリ１５４、表示部（出力部）１５６、画像判定部（判定部、画像選定部）１５７、スピーカ１５８、操作部（画像選定部）１５９及び曝射スイッチ１６０をそれぞれ有する。
【００５２】
送受信部１４４は、院内ネットワーク３０を介して、ＨＩＳ１２、ＲＩＳ１４、ビューア１６、他のコンソールとの間で信号の送受信を行うと共に、制御装置４０及びクレードル３２、３４、３６との間でも信号の送受信を行う。
【００５３】
制御部１４２は、コンソール２４、２６、２８を全体的に制御する。
【００５４】
この場合、制御部１４２は、ＲＩＳ１４から取得した撮影のオーダ情報をオーダ情報記憶部１４８に記憶する。また、制御部１４２は、ＲＩＳ１４から取得し、あるいは、医師又は技師がキーボードやマウス等の操作部１５９を操作して設定した撮影装置４４、４６、４８の撮影条件を撮影条件設定部１５０に記憶する。
【００５５】
なお、オーダ情報は、ＲＩＳ１４を用いて医師により作成されるものであり、患者の氏名、年齢、性別等、患者を特定するための患者情報に加えて、撮影に使用する撮影装置、撮影部位、立位撮影又は臥位撮影の撮影術式（撮影方法）、撮影条件が含まれる。また、撮影条件とは、例えば、放射線源５４の管電圧、管電流、放射線５６の照射時間等、被写体４２に照射される放射線量を決定するための条件である。
【００５６】
この場合、医師又は技師は、操作部１５９を操作して、撮影室１８、２０、２２内に存在する３つの撮影装置４４、４６、４８のうち、撮影に使用する１つの撮影装置と、該１つの撮影装置の撮影術式とを選択すると共に、前記１つの撮影装置に用いられる放射線検出装置（１つの放射線検出装置）のＩＤ情報（識別情報）を入力する。制御部１４２は、選択された１つの撮影装置及び撮影術式や前記ＩＤ情報も撮影条件に含めて撮影条件設定部１５０に設定する。
【００５７】
また、医師又は技師は、操作部１５９を操作して、前記１つの撮影装置に用いられる放射線検出装置のＩＤ情報に加え、撮影を行う撮影室１８、２０、２２内に存在する全ての放射線検出装置５２、６２、７２のＩＤ情報や、該１つの撮影装置に接続されたクレードルで現在充電中の放射線検出装置のＩＤ情報も入力する。入力されたＩＤ情報は、ＩＤメモリ１４６に記憶される。なお、ＩＤメモリ１４６には、上記の各ＩＤ情報以外にも、病院が保有する全ての放射線検出装置のＩＤ情報が記憶されていてもよい。また、操作部１５９によるＩＤ情報の入力に代えて、ＩＤ情報が付与されたバーコードを各放射線検出装置に貼着し、貼着された前記バーコードを図示しないバーコードリーダで読み取ることで、ＩＤメモリ１４６に各放射線検出装置のＩＤ情報を記憶させてもよい。
【００５８】
また、制御部１４２は、医師又は技師によって曝射スイッチ１６０が投入されると、撮影条件設定部１５０に設定された撮影条件と、ＩＤメモリ１４６に記憶された前記１つの撮影室内の全ての放射線検出装置５２、６２、７２のＩＤ情報とを制御装置４０に出力する。
【００５９】
制御装置４０は、入力された撮影条件及びＩＤ情報に従って、電源スイッチ９４の投入の有無に関わり無く、前記１つの撮影室内にある各撮影装置４４、４６、４８の放射線検出装置５２、６２、７２を起動させることにより、バッテリ８８から放射線変換パネル８４にバイアス電圧Ｖｂを供給させて、各画素１００での電荷蓄積が可能な状態に至らせる。
【００６０】
また、制御装置４０は、各放射線検出装置５２、６２、７２の放射線変換パネル８４での電荷蓄積が可能となった状態で放射線源５４を制御して、該放射線源５４から放射線５６を出力させる。
【００６１】
さらに、制御装置４０は、被写体４２に対する放射線５６の照射後（撮影後）、１つの放射線検出装置で得られた放射線画像を含む、前記１つの撮影室内にある各放射線検出装置５２、６２、７２で得られた放射線画像を全て取得してコンソール２４、２６、２８に送信する。
【００６２】
画像判定部１５７は、各放射線検出装置５２、６２、７２から制御装置４０を介してコンソール２４、２６、２８に全ての放射線画像が入力される場合に、１つの放射線検出装置の放射線画像を含めた、全ての放射線画像の中に、被写体４２の写り込んでいる有意な放射線画像があるか否かを判定する。なお、被写体４２の写り込んでいる有意な放射線画像とは、例えば、判定対象の放射線画像がデジタルデータとしての画像データである場合に、前記画像データの輝度平均値又は輝度分散値が、所定の閾値以上となるような放射線画像をいう。すなわち、被写体４２が放射線５６の一部を吸収することにより被写体４２が写り込む箇所では白く表示される画像データの場合、当該画像データの輝度平均値又は輝度分散値は、比較的高いものと思われる。そこで、画像判定部１５７では、輝度平均値又は輝度分散値が前記閾値以上となる画像データを被写体４２の写り込んでいる有意な放射線画像として判定する。なお、輝度平均値又は輝度分散値は、画像データ全体の平均又は分散の値や、被写体４２が写り込む箇所での平均又は分散の値であればよい。
【００６３】
画像判定部１５７は、全ての放射線画像中、有意な放射線画像があると判定すれば、画像処理部１５２に前記有意な放射線画像を出力して、画像処理後の放射線画像を表示部１５６に表示させる。
【００６４】
また、画像判定部１５７は、有意な放射線画像がないと判定した場合、画像データの輝度平均値又は輝度分散値が前記閾値に最も近い放射線画像（前記輝度平均値又は前記輝度分散値が前記閾値から僅かに低い読影診断の可能な放射線画像）を、前記有意な放射線画像とみなし、画像処理部１５２に前記有意な放射線画像とみなした放射線画像を出力して、画像処理後の放射線画像を表示部１５６に表示させることも可能である。
【００６５】
さらに、本実施形態では、画像判定部１５７による有意な放射線画像の選定に代えて、表示部１５６に全ての放射線画像を表示させ、医師又は技師により、有意な放射線画像を選定させるか、あるいは、有意な放射線画像でなくても、読影診断が可能な放射線画像を選定させることもできる。この場合、表示部１５６に表示された全ての放射線画像中、有意な放射線画像又は読影診断が可能な放射線画像を、医師又は技師が操作部１５９を操作して選定すると、画像処理部１５２は、選定された放射線画像に対して画像処理を行い、画像処理後の放射線画像を表示部１５６に改めて表示させる。
【００６６】
また、画像判定部１５７により１つの放射線検出装置の放射線画像とは異なる他の放射線検出装置の放射線画像が選定され、あるいは、医師又は技師による操作部１５９の操作によって１つの放射線検出装置の放射線画像とは異なる他の放射線検出装置の放射線画像が選定された場合に、スピーカ１５８及び／又は表示部１５６は、医師又は技師に、撮影条件に設定された１つの撮影装置（１つの放射線検出装置）とは異なる他の撮影装置（他の放射線検出装置）の放射線画像が選定されたことを警告（通知）することも可能である。
【００６７】
なお、上記の説明では、画像判定部１５７は、画像データの輝度平均値又は輝度分散値に基づいて、取得した各画像データの中に、被写体４２の写り込んでいる有意な放射線画像（画像データ）があるか否かを判定していたが、画像データの濃度平均値又は濃度分散値に基づいて、被写体４２の写り込んでいる有意な放射線画像があるか否かを判定してもよい。すなわち、被写体４２が放射線５６の一部を吸収することにより被写体４２が写り込む箇所では白く表示される画像データの場合、当該画像データの濃度平均値又は濃度分散値は、比較的低いものと思われる。そこで、画像判定部１５７では、輝度平均値又は輝度分散値に基づく判定処理に代えて、濃度平均値又は濃度分散値が他の閾値未満となる画像データを被写体４２の写り込んでいる有意な放射線画像と判定してもよい。この場合でも、濃度平均値又は濃度分散値は、画像データ全体の平均又は分散の値であってもよいし、被写体４２が写り込んでいる箇所での平均又は分散の値であってもよい。
【００６８】
また、画像判定部１５７は、全ての放射線検出装置からの放射線画像を比較して、これらの放射線画像の中に被写体４２の写り込んでいる有意な放射線画像があるか否かを判定してもよい。
【００６９】
クレードル３２、３４、３６は、制御部１６２、送受信部１６４、充電処理部１６６、表示部１６８及びＩＤメモリ１７０をそれぞれ有する。
【００７０】
制御部１６２は、クレードル３２、３４、３６全体を制御する。
【００７１】
充電処理部１６６は、撮影室１８、２０、２２外でクレードル３２、３４、３６に接続された放射線検出装置に対する充電処理を行う。送受信部１６４は、コンソール２４、２６、２８の送受信部１４４との間で信号の送受信を行う。
【００７２】
また、制御部１６２は、充電処理部１６６が現在充電処理を行っている放射線検出装置のＩＤ情報をＩＤメモリ１７０に記憶させる。表示部１６８は、現在充電中の放射線検出装置の情報（充電量やＩＤ情報等）を表示する。なお、制御部１６２は、自己のクレードルと放射線検出装置とが接続されたときに、該放射線検出装置のＩＤメモリ１３２からＩＤ情報を読み取ってＩＤメモリ１７０に記憶させてもよいし、あるいは、自己のクレードルに接続されたコンソールのＩＤメモリ１４６から前記自己のクレードルに係るＩＤ情報を取得してＩＤメモリ１７０に記憶させてもよい。
【００７３】
本実施形態に係る放射線画像撮影システム１０は、基本的には以上のように構成されるものであり、次に、コンソール２４及び撮影室１８を中心とした動作（放射線画像撮影方法）につき、図５のフローチャート及び図６のタイムチャートに従って説明する。
【００７４】
なお、ここでは、医師又は技師により選択される、撮影室１８内の１つの放射線検出装置及び撮影装置が、立位撮影を行う放射線検出装置７２及び撮影装置４８であり、他の放射線検出装置及び撮影装置が、臥位撮影を行う放射線検出装置６２及び撮影装置４６と、放射線検出装置５２及び撮影装置４４とである場合について説明する。また、撮影時には、電源スイッチ９４の投入ではなく、制御装置４０から各放射線検出装置５２、６２、７２を起動させるものとして説明する。
【００７５】
さらに、図５及び図６の説明では、最初に、撮影条件に従って１つの撮影装置４８において被写体４２に対する立位撮影が正常に行われる場合について説明する。次に、立位撮影の撮影条件が撮影条件設定部１５０に設定されているにも関わらず、撮影装置４８による立位撮影に代えて、撮影装置４６による臥位撮影を行う場合について説明する。
【００７６】
先ず、撮影条件に従って、撮影室１８内の１つの撮影装置４８において被写体４２に対する立位撮影が正常に行われる場合について説明する。
【００７７】
ステップＳ１において、コンソール２４の送受信部１４４は、院内ネットワーク３０を介してＲＩＳ１４からオーダ情報を取得する。取得したオーダ情報は、オーダ情報記憶部１４８に記憶される。
【００７８】
次のステップＳ２において、医師又は技師は、コンソール２４の操作部１５９を操作して、オーダ情報記憶部１４８に記憶されたオーダ情報を表示部１５６に表示させる。次に、医師又は技師は、表示部１５６に表示されたオーダ情報を見ながら操作部１５９を操作して、撮影に使用する撮影装置４８と、該撮影装置４８の撮影術式（立位撮影）とを選択すると共に、放射線検出装置７２のＩＤ情報も入力する。この結果、選択された撮影装置４８及び撮影術式と、入力されたＩＤ情報と、これらの情報に対応するオーダ情報中の各情報とが撮影条件として撮影条件設定部１５０に設定される。また、医師又は技師は、操作部１５９を操作して、撮影室１８内に存在する全ての放射線検出装置５２、６２、７２のＩＤ情報と、コンソール２４に接続されたクレードル３２で現在充電中の放射線検出装置のＩＤ情報とについても入力する。これらのＩＤ情報は、ＩＤメモリ１４６に記憶される。
【００７９】
次のステップＳ３において、医師又は技師は、選択した撮影装置４８に対する撮影準備を行う。この場合、医師又は技師は、クレードル３２によるバッテリ８８の充電が完了した放射線検出装置７２を撮影台７０に装填した後に、該撮影台７０に対して被写体４２を位置決めする。また、医師又は技師は、放射線源５４を被写体４２及び撮影台７０に向ける。
【００８０】
撮影準備が完了したステップＳ４において、医師又は技師は、曝射スイッチ１６０を投入して被写体４２に対する立位撮影を開始させる。
【００８１】
先ず、図６の時点ｔ０にて曝射スイッチ１６０が投入されると、制御部１４２は、撮影条件設定部１５０に設定された撮影条件と、ＩＤメモリ１４６に記憶された放射線検出装置５２、６２、７２のＩＤ情報とを、送受信部１４４を介して制御装置４０の送受信部１４０に送信し、制御装置４０は、送受信部１４０が受信した前記撮影条件及び前記各ＩＤ情報をメモリ１３８に記憶すると共に、前記撮影条件及び前記各ＩＤ情報に従って放射線源５４及び各放射線検出装置５２、６２、７２を制御し、被写体４２に対する立位撮影（被写体４２に対する放射線５６の照射）を実行させる。
【００８２】
具体的に、時点ｔ１において、制御装置４０は、送受信部１４０、９２を介して制御部９０を制御することにより各放射線検出装置５２、６２、７２を起動させる。これにより、制御部９０は、制御装置４０からの制御に従って、バッテリ８８から放射線変換パネル８４にバイアス電圧Ｖｂを供給させるので、各画素１００は、電荷蓄積が可能な状態に至る。
【００８３】
時点ｔ２において、制御装置４０は、送受信部１４０、１３６を介して放射線源５４の制御部１３４に撮影条件を送信し、該制御部１３４は、受信した撮影条件に基づく時点ｔ２から時点ｔ３までの所定期間（曝射時間）だけ放射線５６を出力する。これにより、被写体４２を介して撮影台７０内の放射線検出装置７２に放射線５６が照射され、被写体４２を透過した放射線５６は、放射線検出装置７２内の放射線変換パネル８４に導かれる。
【００８４】
ここで、放射線検出装置７２が間接変換型の放射線検出装置である場合に、放射線検出装置７２を構成する放射線変換パネル８４のシンチレータは、放射線５６の強度に応じた強度の可視光を発光する。前述したように、光電変換層１０１を構成する各画素１００は、時点ｔ１からバイアス電圧Ｖｂの供給を受けて電荷蓄積が可能な状態となっているため、前記可視光を電気信号に変換し、電荷として蓄積する。
【００８５】
そして、各画素１００における電荷蓄積が完了した時点ｔ４において、制御部９０は、ライン走査駆動部１０８及びマルチプレクサ１１０にアドレス信号を供給することにより、各画素１００に保持された被写体４２の放射線画像である電荷情報の読出処理を開始する。
【００８６】
すなわち、ライン走査駆動部１０８のアドレスデコーダ１１２は、制御部９０から供給されるアドレス信号に従って選択信号を出力してスイッチＳＷ１の１つを選択し、対応するゲート線１０２に接続されたＴＦＴ１０６のゲートに制御信号Ｖｏｎを供給する。一方、マルチプレクサ１１０のアドレスデコーダ１１８は、制御部９０から供給されるアドレス信号に従って選択信号を出力してスイッチＳＷ２を順次切り替え、ライン走査駆動部１０８によって選択されたゲート線１０２に接続される各画素１００に保持された電荷情報である放射線画像を信号線１０４を介して順次読み出す。
【００８７】
選択されたゲート線１０２に接続された各画素１００から読み出された放射線画像は、各増幅器１１４によって増幅された後、各サンプルホールド回路１１６によってサンプリングされ、マルチプレクサ１１０を介してＡ／Ｄ変換器１２０に供給され、デジタル信号に変換される。デジタル信号に変換された放射線画像は、制御部９０を介して画像メモリ１３０に一旦記憶される。
【００８８】
同様にして、ライン走査駆動部１０８のアドレスデコーダ１１２は、制御部９０から供給されるアドレス信号に従ってスイッチＳＷ１を順次切り替え、各ゲート線１０２に接続されている各画素１００に保持された電荷情報である放射線画像を信号線１０４を介して読み出し、マルチプレクサ１１０、Ａ／Ｄ変換器１２０及び制御部９０を介して画像メモリ１３０に記憶させる。
【００８９】
このようにして、画像メモリ１３０には、立位状態の被写体４２が写り込んだ放射線画像が記憶される。なお、ステップＳ４の説明では、撮影装置４８について説明したが、他の撮影装置４４、４６の放射線検出装置５２、６２においても、放射線検出装置７２と同様に、電荷蓄積と放射線画像の読出処理とが行われる。この場合、放射線検出装置５２、６２に放射線５６が照射されることはないので、放射線検出装置５２、６２の放射線画像には、被写体４２が写り込んでいないことは勿論である。また、コンソール２４は、時点ｔ３から時点ｔ６までの間、医師又は技師が曝射スイッチ１６０を投入しても、該曝射スイッチ１６０の機能を無効（放射線５６の照射を禁止）とする。なお、時点ｔ６は、図５のフローチャートに示す１回の撮影に関わる動作が全て完了する時点をいう。
【００９０】
撮影完了後のステップＳ５において、制御装置４０は、各放射線検出装置５２、６２、７２の画像メモリ１３０に記憶された放射線画像とＩＤメモリ１３２に記憶されたＩＤ情報とを共に、制御部９０、送受信部９２、１４０を介してそれぞれ取得し、取得した全てのＩＤ情報及び放射線画像を送受信部１４４に送信する。従って、送受信部１４４は、各放射線検出装置５２、６２、７２のＩＤ情報及び放射線画像を受信して、画像メモリ１５４に記憶する。
【００９１】
ステップＳ６において、画像判定部１５７は、画像メモリ１５４に記憶された全ての放射線画像の中に被写体４２の写り込んだ有意な放射線画像があるか否かを判定する。
【００９２】
前述したように、撮影装置４８において立位状態の被写体４２に対する撮影が行われ、放射線検出装置７２の放射線画像には、被写体４２が写り込んでいるので、当該放射線画像（画像データ）の輝度平均値又は輝度分散値は、所定の閾値以上となる。従って、画像判定部１５７は、画像メモリ１５４に記憶された各放射線画像のうち、放射線検出装置７２の放射線画像については、画像データの輝度平均値又は輝度分散値が閾値以上であることから、有意な放射線画像があると判定する（ステップＳ６：ＹＥＳ）。
【００９３】
なお、画像メモリ１５４に記憶された他の放射線検出装置５２、６２の放射線画像には、被写体４２が写り込んでいないので、これらの画像データの輝度平均値又は輝度分散値は、閾値未満となる。従って、画像判定部１５７は、画像メモリ１５４に記憶された各放射線検出装置５２、６２の放射線画像は不要と判定する。
【００９４】
そして、画像判定部１５７は、放射線検出装置７２の放射線画像を有意な放射線画像として選定し（ステップＳ７）、画像メモリ１５４に記憶された放射線検出装置７２のＩＤ情報及び放射線画像（有意な放射線画像）を画像処理部１５２に供給する一方で、画像メモリ１５４に記憶された放射線検出装置５２、６２のＩＤ情報及び放射線画像を消去する。
【００９５】
画像処理部１５２は、供給された放射線検出装置７２の放射線画像に対して所定の画像処理を施し（ステップＳ８）、画像処理後の放射線画像を表示部１５６に表示させる（ステップＳ９）。
【００９６】
このようにして、時点ｔ４から時点ｔ５までの間の期間内で、放射線検出装置５２、６２、７２からの放射線画像の取得処理等が完了する。なお、表示部１５６に表示された放射線画像は、院内ネットワーク３０を介してビューア１６に送信され、医師による読影診断に供せられる。
【００９７】
以上が、撮影装置４８において被写体４２に対する立位撮影が正常に行われた場合についての説明である。
【００９８】
次に、医師又は技師が撮影装置４８を選択して、該撮影装置４８に係る撮影条件が撮影条件設定部１５０に設定されているにも関わらず、撮影装置４８による立位撮影ではなく、撮影装置４６による臥位撮影が行われる場合について説明する。
【００９９】
この場合、医師又は技師は、撮影条件に従って撮影装置４８による立位撮影を実施する予定であったが、例えば、撮影装置４８又は放射線検出装置７２が故障しているので、撮影装置４８による立位撮影に代えて撮影装置４６による臥位撮影を行うことを決定した場合が想定される。また、本来、撮影術式等が変更されると、医師又は技師は、操作部１５９を操作して撮影条件設定部１５０に登録されている撮影条件を変更すべきであるが、このような設定変更をし忘れて、撮影装置４６による臥位撮影が行われる場合について説明する。
【０１００】
ステップＳ３において、クレードル３２でのバッテリ８８の充電が完了した放射線検出装置６２を撮影台６０に装填する。次に、医師又は技師は、撮影台６０に対して被写体４２を位置決めすると共に、放射線源５４を被写体４２及び撮影台６０に向ける。
【０１０１】
撮影準備が完了したステップＳ４において、医師又は技師は、曝射スイッチ１６０を投入して被写体４２に対する臥位撮影を開始させる。
【０１０２】
この場合、撮影条件設定部１５０に設定された撮影条件の示す撮影装置４８と、実際に撮影を行う撮影装置４６とが異なり、且つ、医師又は技師が撮影装置４６による臥位撮影を認識していても、撮影条件の設定変更が行われていないため、コンソール２４は、撮影条件設定部１５０に現在設定されている撮影条件（立位撮影）にて撮影が行われるものと認識している。
【０１０３】
従って、図６の時点ｔ０にて曝射スイッチ１６０が投入されると、コンソール２４から制御装置４０に撮影条件とＩＤメモリ１４６に記憶された放射線検出装置５２、６２、７２のＩＤ情報とが送信され、制御装置４０は、受信した前記撮影条件及び前記各ＩＤ情報をメモリ１３８に記憶すると共に、前記撮影条件及び前記各ＩＤ情報に従って放射線源５４及び各放射線検出装置５２、６２、７２を制御する。制御装置４０は、前記撮影条件及び前記各ＩＤ情報に基づいて、立位撮影が行われると認識した状態で放射線源５４及び各放射線検出装置５２、６２、７２を制御する。
【０１０４】
制御装置４０は、時点ｔ１において、各放射線検出装置５２、６２、７２を起動させて、各画素１００を電荷蓄積が可能な状態とし、時点ｔ２において、放射線源５４に撮影条件を送信する。これにより、放射線源５４は、時点ｔ２から時点ｔ３までの曝射時間だけ被写体４２に放射線５６を照射し、被写体４２を透過した放射線５６は、放射線検出装置６２内の放射線変換パネル８４に導かれる。該放射線変換パネル８４のシンチレータは、放射線５６の強度に応じた強度の可視光を発光し、各画素１００は、前記可視光を電気信号に変換し、電荷として蓄積する。
【０１０５】
さらに、各画素１００での電荷蓄積が完了した時点ｔ４において、制御部９０は、ライン走査駆動部１０８及びマルチプレクサ１１０にアドレス信号を供給することにより、各画素１００に保持された被写体４２の放射線画像である電荷情報の読出処理を開始し、読み出した放射線画像を画像メモリ１３０に記憶させる。
【０１０６】
この場合、放射線検出装置６２の画像メモリ１３０には、臥位状態の被写体４２が写り込んだ放射線画像が記憶される。従って、医師又は技師が選択した放射線検出装置７２の放射線画像と、他の放射線検出装置５２の放射線画像とには、いずれも、被写体４２が写り込んでいない。
【０１０７】
ステップＳ５において、制御装置４０は、各放射線検出装置５２、６２、７２からＩＤ情報及び放射線画像を取得して送受信部１４４に送信する。
【０１０８】
ステップＳ６において、画像判定部１５７は、画像メモリ１５４に記憶された上記の３つの放射線画像の中に被写体４２の写り込んだ有意な放射線画像があるか否かを判定する。
【０１０９】
前述したように、撮影装置４６において臥位状態の被写体４２に対する撮影が行われたので、放射線検出装置６２の放射線画像には、被写体４２が写り込んでおり、従って、当該放射線画像（画像データ）の輝度平均値又は輝度分散値は、閾値以上となる。一方、放射線検出装置５２、７２の放射線画像には、被写体４２が写り込んでいないので、これらの画像データの輝度平均値又は輝度分散値は、閾値未満となる。従って、画像判定部１５７は、有意な放射線画像があると判定し（ステップＳ６：ＹＥＳ）、放射線検出装置６２の放射線画像を有意な放射線画像として選定する（ステップＳ７）。
【０１１０】
これにより、画像判定部１５７は、画像メモリ１５４に記憶された放射線検出装置６２のＩＤ情報及び放射線画像（有意な放射線画像）を画像処理部１５２に供給する一方で、画像メモリ１５４に記憶された放射線検出装置５２、７２のＩＤ情報及び放射線画像を消去する。
【０１１１】
画像処理部１５２は、供給された放射線検出装置６２の放射線画像に対して所定の画像処理を施し（ステップＳ８）、画像処理後の放射線画像を表示部１５６に表示させる（ステップＳ９）。
【０１１２】
なお、画像判定部１５７は、撮影条件設定部１５０に設定された撮影条件の示す放射線検出装置７２とは異なる他の放射線検出装置６２の放射線画像を有意な放射線画像として選定したので、撮影条件に対応する放射線画像（撮影装置４８による立位撮影の放射線画像）と、実際に得られた放射線画像（撮影装置４６による臥位撮影の放射線画像）とが一致していないことを医師又は技師に通知するために、スピーカ１５８を介して音声により警告するか、及び／又は、表示部１５６を介して画面表示により警告してもよい。
【０１１３】
以上が、撮影装置４８による立位撮影に代えて、撮影装置４６による臥位撮影が行われた場合についての説明である。
【０１１４】
なお、撮影装置４６ではなく撮影装置４４により臥位撮影が行われた場合であっても、上述した方法により、撮影装置４４の放射線検出装置５２の放射線画像が有意な放射線画像として選定されることは勿論である。
【０１１５】
また、ステップＳ６において、全ての画像データの輝度平均値又は輝度分散値が閾値未満である場合（ステップＳ６：ＮＯ）、全ての放射線画像は有意な放射線画像ではないが、画像判定部１５７は、全ての放射線画像の中から、画像データの輝度平均値又は輝度分散値が閾値に最も近い読影診断の可能な放射線画像を選定し（ステップＳ１０）、選定した放射線画像に対してステップＳ８以降の処理を行わせる。
【０１１６】
さらに、上述した画像判定部１５７による放射線画像の自動的な選定に代えて、医師又は技師により、有意な放射線画像、又は、読影診断が可能な放射線画像を選定させる場合には、ステップＳ５に続くステップＳ１０において、表示部１５６に全ての放射線画像を表示させ、前記全ての放射線画像中、有意な放射線画像又は読影診断が可能な放射線画像を、医師又は技師による操作部１５９の操作によって選定させればよい。これにより、画像処理部１５２は、選定された放射線画像に対してステップＳ８の処理を行い、画像処理後の放射線画像が表示部１５６に改めて表示される（ステップＳ９）。
【０１１７】
以上説明したように、本実施形態によれば、制御装置４０は、１つの放射線検出装置の放射線画像を含む、複数の放射線検出装置５２、６２、７２の放射線画像を全て取得する。
【０１１８】
これにより、被写体４２を介して１つの放射線検出装置に放射線５６が照射された場合であっても、あるいは、他の放射線検出装置を用い、被写体４２を介して他の放射線検出装置に放射線５６が照射された場合であっても、制御装置４０は、全ての放射線検出装置５２、６２、７２の放射線画像を取得するので、取得した全ての放射線画像のうち、いずれか１つの放射線画像には被写体４２が必ず写り込んでいる。
【０１１９】
従って、本実施形態によれば、被写体４２が写り込んだ放射線画像を確実に取得することができるので、被写体４２に対する無駄な被曝を防止することが可能となる。
【０１２０】
また、画像判定部１５７は、制御装置４０が取得した各放射線画像のうち、１つの放射線画像を、被写体４２の写り込んだ有意な放射線画像として判定する。これにより、制御装置４０が取得した全ての放射線画像のうち、どの放射線画像が被写体４２の写り込んだ有意な放射線画像であるかを特定することが可能となる。
【０１２１】
さらに、画像判定部１５７は、有意な放射線画像がないと判定した場合に、各放射線画像のうち、いずれか１つの放射線画像を有意な放射線画像とみなして選定するので、有意な放射線画像が得られなくても、例えば、画像データの輝度平均値又は輝度分散値が閾値よりも僅かに低い読影診断の可能な放射線画像を有意な放射線画像とみなすことにより、被写体４２が再撮影に至る事態を回避することが可能となる。
【０１２２】
また、表示部１５６に全ての放射線画像を表示させ、医師又は技師による操作部１５９の操作により各放射線画像のうち、いずれか１つの放射線画像を、被写体４２の写り込んだ有意な放射線画像とみなして選定してもよい。この場合、画像判定部１５７による有意な放射線画像の自動判定処理が行われないことになるが、医師又は技師に有意な放射線画像を選定させることにより、読影診断が可能な放射線画像を得ることができる。
【０１２３】
また、コンソール２４、２６、２８では、有意な放射線画像を表示部１５６に表示させるので、医師は、有意な放射線画像を用いて読影診断を行うことが可能となる。
【０１２４】
また、ＩＤメモリ１４６に撮影室１８、２０、２２内に存在する全ての放射線検出装置５２、６２、７２のＩＤ情報が記憶されているので、制御装置４０は、ＩＤメモリ１４６の各ＩＤ情報をメモリ１３８に記憶し、前記各ＩＤ情報と撮影条件とに従って、撮影室１８、２０、２２内に存在する各放射線検出装置５２、６２、７２の放射線画像を全て取得する。
【０１２５】
これにより、撮影室１８、２０、２２内に存在する各放射線検出装置５２、６２、７２に対してのみ放射線画像の取得処理が行われるので、誤って、撮影室１８、２０、２２の外にある放射線検出装置、例えば、クレードル３２、３４、３６で現在充電中の放射線検出装置や、撮影が行われていない他の撮影室の放射線検出装置に対して取得処理が行われることを確実に防止することができると共に、放射線画像の取得処理を効率よく行うことが可能となる。
【０１２６】
さらに、各放射線変換パネル８４は、被写体４２に対して放射線５６が照射される前に電荷を蓄積可能な状態に至るので、電荷蓄積を各放射線変換パネル８４に指示するトリガ用の放射線５６を本撮影前に各放射線検出装置５２、６２、７２に照射することが不要となり、電荷蓄積を指示するための構成が簡素化されると共に、被写体４２の被曝量を低減することができる。
【０１２７】
上記の説明では、制御装置４０とコンソール２４、２６、２８とを別体としていたが、制御装置４０における放射線画像の取得機能を制御部１４２に持たせて、該制御装置４０を省略することも可能である。
【０１２８】
また、厚みのある被写体４２の撮影では、撮影に用いられる放射線検出装置に到達する放射線５６の照射線量よりも、他の放射線検出装置に漏洩する放射線量の方が大きくなる可能性がある。そのため、本実施形態では、ｍＡｓ値と被写体４２の厚みとの相関データや、漏洩時の放射線画像のパターンを撮影条件設定部１５０に予め登録しておき、厚みのある被写体４２の放射線画像が得られたときに、登録されたデータやパターンを用いて当該放射線画像を補正してもよい。
【０１２９】
さらに、上記の説明では、医師又は技師が操作部１５９を操作することにより撮影術式が撮影条件設定部１５０に登録され、撮影準備の際には、医師又は技師が放射線源５４を被写体４２に向けることを説明した。本実施形態では、これに限定されることはない。例えば、撮影術式と放射線源５４の移動とを関連付け、撮影術式が撮影条件設定部１５０に登録された場合には、前記撮影術式に従って放射線源５４が自動的に移動してもよいし、あるいは、撮影準備の際に放射線源５４を移動させたときに、移動した放射線源５４に応じた撮影術式が自動的に撮影条件設定部１５０に登録されてもよい。
【０１３０】
さらに、例えば、撮影装置４８から撮影装置４６に撮影術式が変更された場合に、変更後の撮影術式に対応して撮影条件中の放射線量も変更し、変更後の放射線量の放射線５６を放射線源５４から出力させてもよい。
【０１３１】
なお、本発明は、上述した実施形態に限定されるものではなく、本発明の要旨を逸脱しない範囲で種々の変更が可能であることは勿論である。
【符号の説明】
【０１３２】
１０…放射線画像撮影システム
１８、２０、２２…撮影室
２４、２６、２８…コンソール
４０…制御装置
４２…被写体
４４、４６、４８…撮影装置
５０、６０、７０…撮影台
５２、６２、７２…放射線検出装置
５４…放射線源
５６…放射線
８４…放射線変換パネル
１００…画素
１０１…光電変換層
１５０…撮影条件設定部
１５６…表示部
１５７…画像判定部
１５８…スピーカ
１５９…操作部
【図１】
0005577114.tif 000002
【図２】
0005577114.tif 000003
【図３】
0005577114.tif 000004
【図４】
0005577114.tif 000005
【図５】
0005577114.tif 000006
【図６】
0005577114.tif 000007